(57)【要約】【課題】  配置形態を変更できる自動車外形を持つ物置ボックスを提供する。【解決手段】  台座１と、カバー組とを有する。台座１は、自動車外形を持つ車頭１２を係止するために、一端に係止構造１１を有し、他端に開口が上に向く収容空間１３が設けられ、二短辺に形成される面には車頭１２に向いて収容空間１３を貫通する貫通孔１４が複数で形成されている。収容空間１３内には定位素子１５が複数で設けられ、各定位素子１５は収容ケース１６にある複数の定位溝と係止し、各定位溝は収容ケース１６の底部に設置されている。カバー組は、台座１の長辺に枢接して設けられている。自動車外形を持つ物置ボックスは、内部に取替え可能な収容ケース１６を有するため、使用者のニーズにより配置形態を変更できる。【選択図】    図４
0003106328.tif 000002
【実用新案登録請求の範囲】
【請求項１】
台座と、カバー組とを有する自動車外形を持つ物置ボックスにおいて、
前記台座は、自動車外形を持つ車頭を係止するために、一端に係止構造を有し、他端に開口が上に向く収容空間が設けられ、二短辺に形成される面には前記車頭に向いて前記収容空間を貫通する貫通孔が複数で形成され、前記収容空間内には定位素子が複数で設けられ、前記各定位素子は収容ケースにある複数の定位溝と係止し、且つ前記各定位溝は前記収容ケースの底部に設置され、前記カバー組は前記台座の長辺に枢接して設けられていることを特徴とする自動車外形を持つ物置ボックス。
【請求項２】
前記係止構造は、前記台座から上へ延びた定位ピンと前記車頭にある定位孔とが互いに係止して構成される構造であることを特徴とする請求項１に記載の自動車外形を持つ物置ボックス。
【請求項３】
前記カバー組は、前記台座の二長辺に枢接して設けられ、中央から前記台座の両側に旋回して開けられることが可能であり、且つ前記カバー組を閉じるときに、全体が自動車の造形を呈することを特徴とする請求項１に記載の自動車外形を持つ物置ボックス。
【請求項４】
前記カバー組は、前記台座の一長辺に枢接して設けられ、他の長辺から旋回して開けられることが可能であり、且つ前記カバー組を閉じるときに、全体が自動車の造形を呈することを特徴とする請求項１に記載の自動車外形を持つ物置ボックス。
【請求項５】
前記台座の底部にホイル組を取付けてもいいことを特徴とする請求項１に記載の自動車外形を持つ物置ボックス。
【考案の詳細な説明】
【技術分野】
【０００１】
本考案は、自動車外形を持つ物置ボックスに係り、特に、物置ボックスの内部に取替え可能な収容ケースを有する自動車外形を持つ物置ボックスに関する。
【背景技術】
【０００２】
図６に示すのは、従来の工具ボックス７である。一般の工具ボックス７の外形は立方体を呈し、前記工具ボックス７を開けるとき、占める空間がより大きく、且つ工具ボックス７は、一般に一体成形されているものであり、異なる仕様のドライバーヘッド７２と、スリーブ７３と、ドライバー柄７４とを嵌め込んで収容するために、多数の収容孔７１が設けられている。前記各収容孔７１には収容孔７１の寸法に合う工具だけ収容できるので、工具ボックス７には工具だけを収容でき、別のものが収容できないため、工具ボックス７の機能が限定される。
【考案の開示】
【考案が解決しようとする課題】
【０００３】
本考案の主な目的は、面白い自動車外形を持つので、装飾品としても使用でき、底部にホイル組が設けてあるので、玩具としても使用でき、且つ内部には取替え可能な収容ケースを有し、使用者のニーズにより配置形態を変更できる自動車外形を持つ物置ボックスを提供する。
【課題を解決するための手段】
【０００４】
上記目的を達成するためになされた本考案は、台座と、カバー組とを有する自動車外形を持つ物置ボックスにおいて、前記台座は自動車外形を持つ車頭を係止するために、一端に係止構造を有し、他端に開口が上に向く収容空間が設けられ、二短辺に形成される面には前記車頭に向いて前記収容空間を貫通する貫通孔が複数で形成され、前記収容空間内には定位素子が複数で設けられ、前記各定位素子は収容ケースにある複数の定位溝と係止し、且つ前記各定位溝は前記収容ケースの底部に設置され、前記カバー組は前記台座の長辺に枢接して設けられていることを特徴とする自動車外形を持つ物置ボックスであることを要旨としている。
【０００５】
本考案に係る自動車外形を持つ物置ボックスによれば、面白い自動車外形を持つので、装飾品としても使用でき、底部にホイル組が設けられているので、玩具としても使用でき、且つ内部には取替え可能な収容ケースを有し、使用者のニーズにより配置形態を変更できる。
【考案を実施するための最良の形態】
【０００６】
以下、添付図面を参照して、本考案の好適な実施の形態を詳細に説明する。
まず、図１から図５を参照する。図１は本考案の第一実施例による自動車外形を持つ物置ボックスの斜視図であり、図２は本考案の第一実施例による自動車外形を持つ物置ボックスに係るカバーの開閉状態を示す概略図であり、図３は本考案の第一実施例による自動車外形を持つ物置ボックスの断面図であり、図４は本考案の第一実施例の分解斜視図であり、図５は本考案の第二実施例の分解斜視図である。上記図面に示す実施例は、本考案を説明するために挙げたものであり、本考案を限定するためのものではない。
【０００７】
図１から図４に示すのは、本考案の第一実施例による自動車外形を持つ物置ボックスである。前記物置ボックスは、台座１と、カバー組２とを有する。前記台座１は、自動車外形を持つ車頭１２を係止するために、一端に係止構造１１を有する。本実施例では、前記係止構造１１は、前記台座１から上へ延びる定位ピン１１１と前記車頭１２にある定位孔１２１とが互いに係止して構成される構造である。なお、前記台座１の他端には開口が上に向く収容空間１３が設けられ、前記台座１の底部にはホイル組６を取付けてもよく、且つ前記台座１の二短辺に形成される面には前記車頭１２に向いて前記収容空間１３を貫通する貫通孔１４が複数形成され、前記収容空間１３内には定位素子１５が複数で設けられ、前記各定位素子１５は収容ケース１６にある複数の定位溝１７と係止し、且つ前記各定位溝１７は前記収容ケース１６の底部に設置されている。
【０００８】
本実施例では、前記カバー組２が前記台座１の二長辺に枢接して設けられ、中央から前記台座１の両側に旋回して開けられることができ、且つ前記カバー組２が閉じられるときに、全体が自動車の造形を呈する。上記の構成により、前記収容ケース１６内には長形溝１８と複数の収容孔１９とが設けられ、前記長形溝１８がドライバー柄３を収容するための空間であり、前記収容孔１９がドライバーヘッド３１を収容するための空間であり、且つ前記各貫通孔１４がより小さい寸法のドライバー工具３２を収容するための空間である。
【０００９】
もちろん、本考案は他に多数の実施例があり、それらは詳細な箇所の変化だけである。次に、図５を参照する。これは、本考案の第二実施例であって、前記カバー組２のカバー２１は、前記台座１の長辺に枢接して設けてあり、他の長辺から旋回して開けられることができ、且つ前記カバー組２が閉じられるときに、全体が自動車の造形を呈する。前記収容ケース１６には複数の収容溝４が間隔をおいて設置され、化粧品５が前記収容溝４内に収容され、且つ眉墨５１及び頬紅ブラシ５２などを収容するために、前記台座１の二短辺に形成される面には前記車頭１２に向いて前記収容空間１３を貫通する貫通孔１４が複数で形成されている。
【００１０】
このように、本考案が、特定の例を参照して説明されたが、それらの例は、説明のためだけのものであり、本考案を限定するものではなく、この分野に通常の知識を有する者は、本考案の精神および範囲を逸脱することなく、ここで開示された実施例に変更、追加または削除を施してもよいことがわかる。
【図面の簡単な説明】
【００１１】
【図１】本考案の第一実施例による自動車外形を持つ物置ボックスを示す斜視図である。
【図２】本考案の第一実施例による自動車外形を持つ物置ボックスのカバーの開閉状態を示す概略図である。
【図３】本考案の第一実施例による自動車外形を持つ物置ボックスを示す断面図である。
【図４】本考案の第一実施例による自動車外形を持つ物置ボックスを示す分解斜視図である。
【図５】本考案の第二実施例による自動車外形を持つ物置ボックスを示す分解斜視図である。
【図６】従来の工具ボックスの斜視図である。
【符号の説明】
【００１２】
１  台座、２  カバー組、３  ドライバー柄、４  収容溝、５  化粧品、６  ホイル組、１１  係止構造、１２  車頭、１３  収容空間、１４  貫通孔、１５  定位素子、１６  収容ケース、１７  定位溝、１８  長形溝、１９  収容孔、２１  カバー、３１  ドライバーヘッド、３２  ドライバー工具、５１  眉墨、５２  頬紅ブラシ、１１１  定位ピン、  １２１  定位孔
【図１】
0003106328.tif 000003
【図２】
0003106328.tif 000004
【図３】
0003106328.tif 000005
【図４】
0003106328.tif 000006
【図５】
0003106328.tif 000007
【図６】
0003106328.tif 000008